(57)【特許請求の範囲】
【請求項１】
テレビ電話機能とＷｏｒｌｄ  Ｗｉｄｅ  Ｗｅｂブラウザ（以下  ＷＷＷブラウザ）機能を有するテレビ電話装置であり、本テレビ電話装置に含まれる、もしくは接続された表示装置を有し、テレビ電話の操作用画面を上記表示装置に表示するテレビ電話装置に於いて、
前記テレビ電話装置に接続された計測機器から吸い上げた計測データをＷＷＷブラウザ表示画面に取り込み、Ｈｙｐｅｒ  Ｔｅｘｔ  Ｔｒａｎｓｆｅｒ  Ｐｒｏｔｏｃｏｌ（以下  ＨＴＴＰ）メソッドを使ってこの計測データをワイドエリアネットワークに接続されたサーバに転送する手段と、
ＷＷＷブラウザ表示画面を制御する手段であって、ワイドエリアネットワークに接続されたリモート制御装置からＵＲＬを受け取り該ＵＲＬをファイルロード指令として遠隔制御される手段と、
ワイドエリアネットワークに接続された同機能をもつ他の装置の画面を、前記テレビ電話装置のＷＷＷブラウザ表示画面に連動させて遷移させることによって、前記テレビ電話装置に接続された計測機器から吸い上げた計測データをＷＷＷブラウザ表示画面に取り込ませ、ＨＴＴＰメソッドを使ってこの計測データをワイドエリアネットワークに接続されたサーバに転送させる手段と
を有することを特徴とするテレビ電話装置。
【請求項２】
前記遠隔制御される手段が、前記ＷＷＷブラウザ機能の前段階を制御することを特徴とする請求項１記載のテレビ電話装置。
【発明の詳細な説明】
【０００１】
【発明の属する技術分野】
この発明は、テレビ電話機能とＷＷＷブラウザ機能をもつ、テレビ電話装置に係わるものである。
【０００２】
【従来の技術】
ＷＷＷブラウザは現在パーソナルコンピュータ（以後ＰＣと記す）を主体に利用が進んでおり、テレビ装置にＷＷＷブラウザ機能を付与された製品等も発売されている。
しかしながら、一般的なＷＷＷブラウザは、純粋に外部のホームページを閲覧するためのみ使用されている。ＷＷＷブラウザにより表示されるファイルは一般に、Ｈｙｐｅｒ  Ｔｅｘｔ  Ｍａｒｋｕｐ  Ｌａｎｇｕａｇｅ（以下  ＨＴＭＬ）と呼ばれる比較的単純な言語で記述されている。また、ＨＴＭＬファイルの特徴として、ＨＴＭＬファイル内に別のＨＴＭＬファイルに対してリンクを設定することができることが挙げられる。一般的なＷＷＷブラウザの場合、例えば、画面に表示されたＨＴＭＬファイルのリンク部をユーザがクリックすると、リンクされた次のページに表示が移行する処理が行われる。
【０００３】
次に、ＷＷＷブラウザ機能とテレビ電話機能をあわせ持つ従来装置を考えた場合、現在までに、ＷＷＷブラウザ機能を有するテレビ電話装置は開発されていない。しかし、日経エレクトロニクスＮｏ．６６４（１９９６．６．１７）の１５０〜１５４ページに示されているように、ＰＣを活用することにより、ＷＷＷブラウザ機能とテレビ電話機能を１つの装置上で構成することは可能である。ところが、ＰＣは一般に高価であり、かつ、扱いが必ずしも容易ではないため、広く一般の人々が活用できる状況にはない。
【０００４】
【発明が解決しようとする課題】
上記のような、従来のテレビ電話装置では、第１に、ＰＣを操作できる人しか利用できないという問題があった。第２に、テレビ電話をしながらＷＷＷブラウザに表示する画面を共有しようとすると、一方がもう一方にＵＲＬを伝えて操作を促す必要がある。第３に、データを目的の装置に送るためには、特定のＵＲＬを指定してＨＴＭＬファイルをロードし、その画面の入力フィールドにデータを入力する必要がある。このため、普通の電話をするような手軽さでＷＷＷブラウザ機能とテレビ電話機能を使いこなすことができない。
【０００５】
この発明は以上のような課題を解決するためになされたもので、第１の目的は、自分でＷＷＷブラウザを操作せずに相手装置からの操作で画面表示が変更されるテレビ電話装置を得るものである。
【０００６】
さらに、第２の目的は、自分でＷＷＷブラウザを操作せずに相手装置からの操作で画面表示が変更されるとき、あたかも自装置の入力デバイスから操作しているように見えるテレビ電話装置を得るものである。
【０００７】
また、第３の目的は、ＨＴＴＰを使ってデータを目的の装置に転送することが可能であるテレビ電話装置を得るものである。
【０００８】
さらに、第４の目的は、相手装置からの操作でＨＴＴＰを使ってデータを目的の装置に転送することが可能であるテレビ電話装置を得るものである。
【０００９】
また、第５の目的は、相手のテレビ電話装置のＷＷＷブラウザを自装置のＷＷＷブラウザ表示画面に連動して遷移させることが可能なテレビ電話装置を得るものである。
【００１０】
さらに、第６の目的は、相手のテレビ電話装置のＷＷＷブラウザを自装置のＷＷＷブラウザ表示画面に連動して遷移させるとき、あたかも相手のテレビ電話装置の入力デバイスから操作しているように見せることが可能なテレビ電話装置を得るものである。
【００１１】
さらに、第７の目的は、ＨＴＴＰを使って相手のテレビ電話装置が収集したデータを目的の装置に転送させることが可能であるテレビ電話装置を得るものである。
【００１２】
【課題を解決するための手段】
この発明に関わるテレビ電話装置においては、ＷＷＷブラウザ表示画面がワイドエリアネットワークに接続された相手装置から遠隔制御される遠隔制御手段を有するものである。
【００１３】
さらに、相手装置から遠隔制御されるとき、前記ＷＷＷブラウザ機能の前段階を制御する遠隔制御手段を有するものである。
【００１４】
また、 HTTPメソッドを使って収集した計測データを目的の装置に転送する手段を有するものである。
【００１５】
さらに、相手装置からの操作でＨＴＴＰを使ってデータを目的の装置に転送する手段を有するものである。
【００１６】
また、相手のテレビ電話装置のＷＷＷブラウザ表示画面を自装置のＷＷＷブラウザ表示画面に連動して遷移させる手段を有するものである。
【００１７】
さらに、相手のテレビ電話装置のＷＷＷブラウザ表示画面を遷移させている時、あたかも相手装置の入力デバイスから操作しているように見せるを手段を有するものである。
【００１８】
さらに、ＨＴＴＰを使って相手のテレビ電話装置が収集したデータを目的の装置に転送させる手段を有するものである。
【発明の実施の形態】
この発明の実施の形態であるテレビ電話装置においては、相手装置からのＨＴＭＬファイルロード指令に対する処理をＷＷＷブラウザに組み込むと、相手装置の指令通りにＨＴＭＬファイルがロードされ、あたかも自装置の入力デバイスから操作しているように見せられる。
【００１９】
また、相手装置からのＨＴＭＬファイルロード指令を入力コードに変換し、入力キューを介してＷＷＷブラウザに入力する方法でも相手装置の指令通りにＨＴＭＬファイルがロードされる。
【００２０】
また、ＷＷＷブラウザがＨＴＭＬファイルのロード完了時に、計測データを取り込む処理をＷＷＷブラウザに組み込むと、ＨＴＴＰによって目的の装置にデータが送られる。
【００２１】
さらに、相手装置からのＨＴＭＬファイルロード指令に対する処理をＷＷＷブラウザに組み込むと、相手装置の指令に従いＨＴＴＰによって目的の装置にデータが送られる。
【００２２】
また、ＷＷＷブラウザがＨＴＭＬファイルのロード開始時に、これを相手のテレビ電話装置に伝達する処理を組み込むと、相手のテレビ電話装置のＷＷＷブラウザを操作できる。
【００２３】
さらに、ＨＴＭＬファイルのロード開始を受信した相手装置が、これに対する処理をＷＷＷブラウザに組み込むと、自テレビ電話の操作によって相手の計測データを目的の装置に送ることができる。
【００２４】
以下、この発明をその実施の形態を示す図面に基づいて具体的に説明する。
実施の形態１．
図６はこの発明の実施の形態１であるテレビ電話装置を含むテレビ電話システムのシステム構成図である。図において、１０１は公衆電話回線やＩＳＤＮやＣＡテレビ網等のワイドエリアネットワーク（以下  ＷＡＮ）、１０２Ａはネットワークに機器を接続するために通信インターフェースを変換するモデムやターミナルアダプタ＋ＤＳＵやケーブルモデム等のネットワークインターフェース機器、１０３Ａはテレビ電話装置、１０４はインターネット機能とテレビ電話機能を内蔵したリモート制御装置、１０５はインターネットサービスプロバイダ、１０６はインターネット網、１０７はＷＷＷサーバである。
【００２５】
次に動作について説明する。テレビ電話装置１０３Ａはネットワークインターフェース機器１０２Ａを介してワイドエリアネットワーク１０１に接続されている。この他にもネットワークインターフェース機器１０２Ｃを介してテレビ電話装置１０３Ａに対してＷＷＷブラウザの表示画面を強制変更させる指令を出すリモート制御装置１０４や、インターネット網１０６との接続を行うインターネットサービスプロバイダ１０５が、ワイドエリアネットワーク１０１に接続されている。インターネット網１０６にはＷＷＷサーバ１０７が接続されている。通常テレビ電話装置１０３Ａを操作する人は、テレビ電話装置１０３Ａに搭載されているＷＷＷブラウザ上で、ＷＷＷサーバ１０７に存在するＵＲＬを指定すると、ＨＴＴＰによってネットワークインターフェース機器１０２Ａ、ワイドエリアネットワーク１０１、インターネットサービスプロバイダ１０５、インターネット網１０６を経由してＷＷＷサーバ１０７に対してＨＴＭＬファイルの要求が伝達される。この応答としてＷＷＷサーバ１０７は、ＨＴＴＰによってインターネット網１０６、インターネットサービスプロバイダ１０５、ワイドエリアネットワーク１０１、ネットワークインターフェース機器１０２Ａを経由してテレビ電話装置１０３ＡにＨＴＭＬファイルをダウンロードする。これを以下ＷＷＷサービスと呼ぶ。これと並行して、テレビ電話装置１０３Ａは、リモート制御装置１０４とテレビ電話ができる。この状態で、リモート制御装置１０４からＴＣＰ／ＩＰによって、ネットワークインターフェース機器１０２Ｃ、ワイドエリアネットワーク１０１、ネットワークインターフェース機器１０２Ａを経由してテレビ電話装置１０３ＡのＷＷＷブラウザに強制表示するＵＲＬを伝達すると、テレビ電話装置１０３Ａは、リモート制御装置１０４から伝達されたＵＲＬについて前述のＷＷＷサービスを実施する。
【００２６】
続いて、テレビ電話装置１０３Aの中の実現方式について説明する。図７はこの発明の実施の形態１によるテレビ電話装置に搭載されるソフトウェアのＷＷＷブラウザ機能のデータフロー図である。図において、１７１〜１７５はハードウェアを制御するプログラムを示す。１７１はキーボードやリモコン等の入力デバイスを制御する入力デバイスドライバ、１７３は図６のネットワークインターフェース機器１０２Ａ、１０２Ｃと通信するデバイスを制御するシリアルデバイスドライバ、１７４はテレビへ出力する画像を生成するグラフィックスドライバ、１７５はサウンドを生成するサウンドデバイスを制御するサウンドドライバである。１８０はＰＰＰ、ＨＴＴＰ等のＷＷＷサービスを受けるために必要な各種のプロトコルを実装したプログラムである。１５１〜１５３はリアルタイムＯＳのもとで独立して実行可能なプログラム単位であるタスクを示す。１５１は入力デバイスドライバ１７１から入力したキーコードを内部処理用のコードに変換する入力デバイス処理タスク、１５２はＷＷＷブラウザタスク、１５３はＷＷＷブラウザに付加する機能を実現する付加機能処理タスクである。１６１と１６２はタスク間通信手段の１つであるデータ待ち行列（キュー）を示す。１６１は入力デバイス処理タスク１５１からＷＷＷブラウザタスク１５２へ内部処理用のコードを渡すための入力キューであり、１６２は付加機能処理タスク１５３からＷＷＷブラウザタスク１５２へ処理要求を渡すための指令キューである。
【００２７】
次にデータの流れを説明する。リモート制御装置１０４から伝達されたＵＲＬをシリアルデバイスドライバ１７３が受信し、プロトコルスタック１８０でプロトコル変換された後、付加機能処理タスク１５３へ渡す。付加機能処理タスク１５３はこの受信したＵＲＬを、ＷＷＷブラウザタスク１５２へのＨＴＭＬファイルロード指令として、指令キュー１６２に入れる。ＷＷＷブラウザタスク１５２は指令キュー１６２からデータを取り出し、指定されたＨＴＭＬファイルをロードする。
【００２８】
付加機能処理タスク１５３からＷＷＷブラウザタスク１５２へデータを渡す手段として、テレビ電話装置１０３Ａ内で発生するデータを渡す入力キュー１６１とは別に、ワイドエリアネットワーク１０１上のテレビ電話装置１０３Ａとは異なる装置からのデータを渡す指令キュー１６２を設け、このキューを介して要求されるＨＴＭＬファイルロード指令に対する処理をＷＷＷブラウザタスク１５２に組み込むことでＷＷＷブラウザ表示画面の遠隔制御が実現できる。
【００２９】
実施の形態２．
図８はこの発明の実施の形態２であるテレビ電話装置に搭載されるソフトウェアのＷＷＷブラウザ機能のデータフロー図で、相当部分には図７と同一符号を付してその説明を省略する。
【００３０】
上記実施の形態１では、付加機能処理タスク１５３はリモート制御装置１０４から伝達されたＵＲＬを、指令キュー１６２を介してＷＷＷブラウザタスク１５２へ通知したが、図８に示すように、入力キュー１６１を介してＷＷＷブラウザタスク１５２に伝達することもできる。
【００３１】
この場合のデータの流れを説明する。リモート制御装置１０４から伝達されたＵＲＬをシリアルデバイスドライバ１７３が受信し、プロトコルスタック１８０でプロトコル変換された後、付加機能処理タスク１５３へ渡す。付加機能処理タスク１５３はこの受信したＵＲＬを、テレビ電話装置１０３Ａを操作する人がＷＷＷブラウザ上でＵＲＬジャンプを選択した時に入力デバイスドライバ１７１から入力され入力デバイス処理タスク１５１で変換されるであろうコードに直して、入力キュー１６１に入れる。ＷＷＷブラウザタスク１５２は入力キュー１６１からデータを取り出し、テレビ電話装置１０３Ａを操作する人がＷＷＷブラウザ上でＵＲＬジャンプを選択した時と同じ処理を実行する。
【００３２】
これによりＷＷＷブラウザタスク１５２を変更することなくＷＷＷブラウザ表示画面の遠隔制御が実現できる。
【００３３】
実施の形態３．
図９はこの発明の実施の形態３であるテレビ電話装置を含むテレビ電話システムのシステム構成図で、相当部分には図６と同一符号を付してその説明を省略する。図において、１０８は計測機器であり、テレビ電話装置１０３Ａと接続されている。
【００３４】
次に動作について説明する。計測機器１０８が計測したデータはテレビ電話装置１０３Ａに送られる。この計測データをＷＷＷサーバ１０７へ送るために、テレビ電話装置１０３Ａに搭載されているウェブブラウザ上で、ＷＷＷサーバ１０７に存在するデータ送信用の入力フォームを持つＵＲＬを指定する。ＨＴＴＰによってネットワークインターフェース機器１０２Ａ、ワイドエリアネットワーク１０１、インターネットサービスプロバイダ１０５、インターネット網１０６を経由してＷＷＷサーバ１０７に対してＨＴＭＬファイルの要求が伝達される。この応答としてＷＷＷサーバ１０７は、ＨＴＴＰによってインターネット網１０６、インターネットサービスプロバイダ１０５、ワイドエリアネットワーク１０１、ネットワークインターフェース機器１０２Ａを経由してテレビ電話装置１０３ＡにＨＴＭＬファイルをダウンロードする。計測データがＨＴＭＬファイル中の入力フォームに自動入力された後、ＨＴＭＬファイルの要求と同じ経路でＷＷＷサーバ１０７へアップロードされる。この結果、ＨＴＴＰによってテレビ電話装置１０３Ａが取り込んだ計測データがＷＷＷサーバ１０７に収集される。
【００３５】
続いて、テレビ電話装置１０３Aの中の実現方式について説明する。図１０はこの発明の実施の形態３によるテレビ電話装置に搭載されるソフトウェアのＷＷＷブラウザ機能のデータフロー図で、相当部分には図７と同一符号を付してその説明を省略する。図において、１６３と１６４はタスク間通信手段の１つであるデータ待ち行列（キュー）を示す。１６３はＷＷＷブラウザタスク１５２から付加機能処理タスク１５３へＷＷＷブラウザの動作状態を渡すための通知キュー、１６４は付加機能処理タスク１５３からＷＷＷブラウザタスク１５２へ計測データを渡すための計測データキューである。また１７２は計測機器１０８が計測したデータを取り込む計測機器インターフェースドライバである。
【００３６】
次にデータの流れを説明する。ＷＷＷブラウザタスク１５２は、計測データ送信用の入力フォームを持つＨＴＭＬファイルをロードすると、そのＨＴＭＬファイルのＵＲＬを通知キュー１６３に入れる。付加機能処理タスク１５３は、通知キュー１６３からＨＴＭＬファイルのロード完了通知を取り出すと、前もって計測機器インターフェースドライバ１７２から入力しておいた計測データにそのデータが対応するＨＴＭＬファイル内の入力フィールド名を付与して、計測データキュー１６４に入れる。ＷＷＷブラウザタスク１５２は計測データキュー１６４からデータを取り出し、ＨＴＴＰメソッドにより計測データをＷＷＷサーバ１０７へアップロードする。
【００３７】
ＷＷＷブラウザタスク１５２から付加機能処理タスク１５３へデータを渡す手段として通知キュー１６３を設け、このキューにロードを完了したＨＴＭＬファイルのＵＲＬを入れる処理をＷＷＷブラウザタスク１５２に組み込む。さらに、付加機能処理タスク１５３からＷＷＷブラウザタスク１５２へデータを渡す手段として、テレビ電話装置１０３Ａ内で発生するデータを渡す入力キュー１６１とは別に、計測データを渡す計測データキュー１６４を設け、このキューを介して入力される入力フィールド名付きの計測データに対する処理を組み込むことで、HTTPメソッドを使ってこの計測データをワイドエリアネットワークに接続されたサーバに転送することが実現できる。
【００３８】
実施の形態４．
また、図１１に示すように、図１０の計測データキュー１６４を使って付加機能処理タスク１５３からＷＷＷブラウザタスク１５２へ渡していた計測データを、図７の指令キュー１６２を使うようにし、付加機能処理タスク１５３に、実施の形態１と実施の形態３で説明した付加機能処理タスク１５３の両方の機能を組み込む。これによって、実施の形態１に示したＷＷＷブラウザ表示画面の遠隔制御と実施の形態３に示したHTTPメソッドを使って計測データのワイドエリアネットワークに接続されたサーバへの転送という２つの機能が１つの装置内で共存できる。
【００３９】
実施の形態５．
図１２はこの発明の実施の形態５であるテレビ電話装置に搭載されるソフトウェアのＷＷＷブラウザ機能のデータフロー図で、相当部分には図１０と同一符号を付してその説明を省略する。
【００４０】
上記実施の形態３では、付加機能処理タスク１５３は計測機器インターフェースドライバ１７２から入力した計測データを、計測データキュー１６４を介してＷＷＷブラウザタスク１５２へ通知したが、図１２に示すように、入力キュー１６１を介してＷＷＷブラウザタスク１５２に伝達することもできる。
【００４１】
この場合のデータの流れを説明する。ＷＷＷブラウザタスク１５２は、計測データ送信用の入力フォームを持つＨＴＭＬファイルをロードすると、そのＨＴＭＬファイルのＵＲＬを通知キュー１６３に入れる。付加機能処理タスク１５３は、通知キュー１６３からＨＴＭＬファイルのロード完了通知を取り出すと、前もって計測機器インターフェースドライバ１７２から入力しておいた計測データにそのデータが対応するＨＴＭＬファイル内の入力フィールド名を付与して、ＷＷＷブラウザ上で入力フィールドを選択し入力デバイスから数値入力された時に入力デバイスドライバ１７１から入力され入力デバイス処理タスク１５１で変換されるであろうコードに直して、入力キュー１６１に入れる。さらにＷＷＷブラウザ上で送信ボタンが押されたときに入力デバイスドライバ１７１から入力され入力デバイス処理タスク１５１で変換されるであろうコードに直して、入力キュー１６１に入れる。ＷＷＷブラウザタスク１５２は計測データキュー１６４からデータを取り出し、テレビ電話装置１０３Ａを操作する人がＷＷＷブラウザ上で計測データを数値入力し送信ボタンを押下した時と同じ処理を実行する。
【００４２】
これにより、実施の形態３のように、ＷＷＷブラウザタスク１５２に計測データキュー１６４を介して入力される入力フィールド名付きの計測データに対する処理を組み込む変更が省け、ＷＷＷブラウザタスク１５２から付加機能処理タスク１５３へデータを渡す手段として通知キュー１６３を設け、このキューにロードを完了したＨＴＭＬファイルのＵＲＬを入れる処理を組み込む変更だけで、HTTPメソッドを使ってこの計測データをワイドエリアネットワークに接続されたサーバに転送することが実現できる。
【００４３】
実施の形態６．
また、図１３に示すように、付加機能処理タスク１５３に、実施の形態２と実施の形態５で説明した付加機能処理タスク１５３の両方の機能を組み込むことで、実施の形態２に示したＷＷＷブラウザ表示画面の遠隔制御と実施の形態５に示したHTTPメソッドを使って計測データのワイドエリアネットワークに接続されたサーバへの転送という２つの機能が１つの装置内で共存できる。
【００４４】
実施の形態７．
図５はこの発明の実施の形態６であるテレビ電話装置を含むテレビ電話システムのシステム構成図で、相当部分には図６と同一符号を付してその説明を省略する。図において、１０３Ｂは１０３Ａと同機能をもつテレビ電話装置、１０２Ｂは１０２Ａと同機能をもつネットワークインターフェース機器である。
【００４５】
次に動作について説明する。テレビ電話装置１０３Ａの画面がテレビ電話装置１０３Ｂの画面遷移に連動して変化する場合を説明する。テレビ電話装置１０３Ｂを操作する人は、テレビ電話装置１０３Ｂに搭載されているＷＷＷブラウザ上で、ＷＷＷサーバ１０７に存在するＵＲＬを指定すると、ＨＴＴＰによってネットワークインターフェース機器１０２Ａ、ワイドエリアネットワーク１０１、インターネットサービスプロバイダ１０５、インターネット網１０６を経由してＷＷＷサーバ１０７に対してＨＴＭＬファイルの要求が伝達される。これと同時に、ＴＣＰ／ＩＰによってネットワークインターフェース機器１０２Ｂ、ワイドエリアネットワーク１０１、ネットワークインターフェース機器１０２Ａを経由してテレビ電話装置１０３Ａに、テレビ電話装置１０３Ｂが要求したＨＴＭＬファイルのＵＲＬが伝達される。これを受けてＷＷＷブラウザは、ＨＴＴＰによってネットワークインターフェース機器１０２Ａ、ワイドエリアネットワーク１０１、インターネットサービスプロバイダ１０５、インターネット網１０６を経由してＷＷＷサーバ１０７に対してＨＴＭＬファイルを要求する。この応答としてＷＷＷサーバ１０７は、ＨＴＴＰによってインターネット網１０６、インターネットサービスプロバイダ１０５、ワイドエリアネットワーク１０１、ネットワークインターフェース機器１０２Ａを経由してテレビ電話装置１０３ＡにＨＴＭＬファイルをダウンロードする。これに先立って、テレビ電話装置１０３Ｂに対しても、インターネット網１０６、インターネットサービスプロバイダ１０５、ワイドエリアネットワーク１０１、ネットワークインターフェース機器１０２Ｂを経由して同じＨＴＭＬファイルがダウンロードされている。
【００４６】
続いて、テレビ電話装置１０３Aと１０３Ｂの中の実現方式について説明する。図４はこの発明の実施の形態７によるテレビ電話装置に搭載されるソフトウェアのＷＷＷブラウザ機能のデータフロー図で、相当部分には図７と同一符号を付してその説明を省略する。図において、１６３はタスク間通信手段の１つであるデータ待ち行列（キュー）で、ＷＷＷブラウザタスク１５２から付加機能処理タスク１５３へＷＷＷブラウザの動作状態を渡すための通知キューである。
【００４７】
次にデータの流れを説明する。テレビ電話装置１０３Ｂにおいて、ＷＷＷブラウザタスク１５２はＨＴＴＰに従ってＨＴＭＬファイルの要求をプロトコルスタック１８０、シリアルデバイスドライバ１７３経由でＷＷＷサーバ１０７へ送信すると同時に、ＨＴＭＬファイルの要求通知を通知キュー１６３に入れる。付加機能処理タスク１５３はこれを通知キュー１６３から取り出すと、ＴＣＰ／ＩＰによってテレビ電話装置１０３Ａに送るために、プロトコルスタック１８０、シリアルデバイスドライバ１７３へデータを渡す。これが、ネットワークインターフェース機器１０２Ｂ、ワイドエリアネットワーク１０１、ネットワークインターフェース機器１０２Ａを経由してテレビ電話装置１０３Ａのシリアルデバイスドライバ１７３に渡る。プロトコルスタック１８０でプロトコル変換された後、付加機能処理タスク１５３が受信する。これによって付加機能処理タスク１５３はテレビ電話装置１０３ＢがＨＴＭＬファイルの要求を行ったことを知り、テレビ電話装置１０３Ｂと連動させるために、ＷＷＷブラウザタスク１５２へのＨＴＭＬファイルロード指令として、指令キュー１６２に入れる。ＷＷＷブラウザタスク１５２は指令キュー１６２からデータを取り出し、ＨＴＴＰに従って指定されたＨＴＭＬファイルの要求をプロトコルスタック１８０、シリアルデバイスドライバ１７３経由でＷＷＷサーバ１０７へ送信する。この結果、ＷＷＷサーバ１０７からテレビ電話装置１０３Ａと１０３Bへ同じＨＴＭＬファイルがロードされる。
【００４８】
なお、テレビ電話装置１０３Ｂの画面がテレビ電話装置１０３Ａの画面遷移に連動して変化する場合も同様である。
【００４９】
ＷＷＷブラウザタスク１５２から付加機能処理タスク１５３へデータを渡す手段として通知キュー１６３を設け、このキューにロードを完了したＨＴＭＬファイルのＵＲＬを入れる処理と、付加機能処理タスク１５３からＷＷＷブラウザタスク１５２へデータを渡す手段として指令キュー１６４を設け、このキューを介して要求されるＨＴＭＬファイルロード指令に対する処理をＷＷＷブラウザタスク１５２に組み込むことで、画面遷移の連動が実現できる。
【００５０】
実施の形態８．
また、図１に示すように、図１０の計測データキュー１６４を使って付加機能処理タスク１５３からＷＷＷブラウザタスク１５２へ渡していた計測データを、図４の指令キュー１６２を使うようにし、付加機能処理タスク１５３に、実施の形態３と実施の形態７で説明した付加機能処理タスク１５３の両方の機能を組み込む。これによって、実施の形態３に示したHTTPメソッドを使って計測データのワイドエリアネットワークに接続されたサーバへの転送と実施の形態７に示した２つのテレビ電話装置間での画面遷移の連動いう２つの機能が１つの装置内で共存できる。
【００５１】
実施の形態９．
図２はこの発明の実施の形態７であるテレビ電話装置に搭載されるソフトウェアのＷＷＷブラウザ機能のデータフロー図で、相当部分には図４と同一符号を付してその説明を省略する。
【００５２】
上記実施の形態７では、付加機能処理タスク１５３は相手のテレビ電話装置から伝達されたＵＲＬを、指令キュー１６２を介してＷＷＷブラウザタスク１５２へ通知したが、図２に示すように、入力キュー１６１を介してＷＷＷブラウザタスク１５２に伝達することもできる。
【００５３】
この場合のデータの流れを説明する。相手のテレビ電話装置１０３Ｂから伝達されたＵＲＬをシリアルデバイスドライバ１７３が受信し、プロトコルスタック１８０でプロトコル変換された後、付加機能処理タスク１５３へ渡す。付加機能処理タスク１５３はこの受信したＵＲＬを、テレビ電話装置１０３Ａを操作する人がＷＷＷブラウザ上でＵＲＬジャンプを選択した時に入力デバイスドライバ１７１から入力され入力デバイス処理タスク１５１で変換されるであろうコードに直して、入力キュー１６１に入れる。ＷＷＷブラウザタスク１５２は入力キュー１６１からデータを取り出し、テレビ電話装置１０３Ａを操作する人がＷＷＷブラウザ上でＵＲＬジャンプを選択した時と同じ処理を実行する。
【００５４】
これにより、実施の形態７のように、ＷＷＷブラウザタスク１５２に指令キュー１６４を介して入力されるＨＴＭＬファイルロード指令に対する処理を組み込む変更が省け、ＷＷＷブラウザタスク１５２から付加機能処理タスク１５３へデータを渡す手段として通知キュー１６３を設け、このキューにロードを開始するＨＴＭＬファイルのＵＲＬを入れる処理を組み込む変更だけで、２つのテレビ電話装置間での画面遷移の連動が実現できる。
【００５５】
実施の形態１０．
また、図３に示すように、付加機能処理タスク１５３に、実施の形態５と実施の形態９で説明した付加機能処理タスク１５３の両方の機能を組み込むことで、実施の形態５に示したHTTPメソッドを使って計測データのワイドエリアネットワークに接続されたサーバへの転送と実施の形態９に示した２つのテレビ電話装置間での画面遷移の連動いう２つの機能が１つの装置内で共存できる。
【００５６】
【発明の効果】
この発明は、以上説明されたように構成されているので、以下に示すような効果を奏する。
【００５７】
相手装置からのＨＴＭＬファイルロード指令に対する処理をＷＷＷブラウザに組み込むことにより、テレビ電話をしながら自分でＷＷＷブラウザを操作することなく、ＷＷＷブラウザにテキスト、サウンド、静止画、動画等の情報が表示できる。
【００５８】
また、相手装置からのＨＴＭＬファイルロード指令を、自装置でＵＲＬジャンプを選択した時に生成されるであろう入力コードに変換して入力キューに入れることにより、あたかも自装置の入力デバイスから操作しているように見えるためにＷＷＷブラウザの操作方法を学習することができる。また、ＷＷＷブラウザに手を加えずに実現できるため、製作コストを少なくできる。
【００５９】
また、ＷＷＷブラウザがＨＴＭＬファイルのロード完了を外部プログラムに通知し、外部プログラムから計測データを取り込む処理をＷＷＷブラウザに組み込むことにより、データ転送のための特別な通信プログラムを作成することなく、目的の装置にデータを送ることができる。
【００６０】
また、相手装置からのＨＴＭＬファイルロード指令に対する処理と、ＷＷＷブラウザのＨＴＭＬファイルのロード完了を外部プログラムに通知し、外部プログラムから計測データを取り込む処理をＷＷＷブラウザに組み込むことにより、自分でＷＷＷブラウザを操作せず相手装置の操作により自装置が収集した計測データを目的の装置に転送することができる。
【００６１】
また、ＷＷＷブラウザがＨＴＭＬファイルのロード開始を外部プログラムに通知し、これを外部プログラムが相手のテレビ電話装置に伝達する処理を組み込むことにより、テレビ電話をしながら相手のテレビ電話装置のＷＷＷブラウザを操作することができる。
【００６２】
また、相手のテレビ電話装置からのＨＴＭＬファイルロード指令を、自装置でＵＲＬジャンプを選択した時に生成されるであろう入力コードに変換して入力キューに入れることにより、あたかも自装置の入力デバイスから操作しているように見えるためにＷＷＷブラウザの操作方法を指導することができる。また、ＨＴＭＬファイルロード指令を直接ＷＷＷブラウザに与えるよりもＷＷＷブラウザの変更量を少なくできる。
【００６３】
また、ＷＷＷブラウザがＨＴＭＬファイルのロード開始を外部プログラムに通知し、これを外部プログラムが相手のテレビ電話装置に伝達する処理を組み込むことにより、テレビ電話をしながら相手のテレビ電話装置のＷＷＷブラウザを操作し、相手のテレビ電話装置が収集した計測データを目的の装置に転送させることができる。
【図面の簡単な説明】
【図１】  この発明の実施の形態８を示すテレビ電話装置に搭載されるソフトウェアのＷＷＷブラウザ機能のデータフロー図である。
【図２】  この発明の実施の形態９を示すテレビ電話装置に搭載されるソフトウェアのＷＷＷブラウザ機能のデータフロー図である。
【図３】  この発明の実施の形態１０を示すテレビ電話装置に搭載されるソフトウェアのＷＷＷブラウザ機能のデータフロー図である。
【図４】  この発明の実施の形態７を示すテレビ電話装置に搭載されるソフトウェアのＷＷＷブラウザ機能のデータフロー図である。
【図５】  この発明の実施の形態７〜１０であるテレビ電話装置が位置付けられるテレビ電話システムのシステム構成図である。
【図６】  この発明の実施の形態１、２であるテレビ電話装置が位置付けられるテレビ電話システムのシステム構成図である。
【図７】  この発明の実施の形態１を示すテレビ電話装置に搭載されるソフトウェアのＷＷＷブラウザ機能のデータフロー図である。
【図８】  この発明の実施の形態２を示すテレビ電話装置に搭載されるソフトウェアのＷＷＷブラウザ機能のデータフロー図である。
【図９】  この発明の実施の形態３〜６であるテレビ電話装置が位置付けられるテレビ電話システムのシステム構成図である。
【図１０】  この発明の実施の形態３を示すテレビ電話装置に搭載されるソフトウェアのＷＷＷブラウザ機能のデータフロー図である。
【図１１】  この発明の実施の形態４を示すテレビ電話装置に搭載されるソフトウェアのＷＷＷブラウザ機能のデータフロー図である。
【図１２】  この発明の実施の形態５を示すテレビ電話装置に搭載されるソフトウェアのＷＷＷブラウザ機能のデータフロー図である。
【図１３】  この発明の実施の形態６を示すテレビ電話装置に搭載されるソフトウェアのＷＷＷブラウザ機能のデータフロー図である。
【符号の説明】
１０１  ワイドエリアネットワーク、１０２  ネットワークインターフェース機器、１０３  テレビ電話装置、１０４  リモート制御装置、１０５  インターネットサービスプロバイダ、１０６  インターネット網、１０７  ＷＷＷサーバ、１５１  入力デバイス処理タスク、１５２  ＷＷＷブラウザタスク、１５３付加機能処理タスク、１６１  入力キュー、１６２  指令キュー、１６３  通知キュー、１７１  入力デバイスドライバ、１７２  計測機器インターフェースドライバ、１７３  シリアルデバイスドライバ、１７４  グラフィックスドライバ、１７５  サウンドドライバ、１８０  プロトコルスタック
【図１】
0003734348.tif 000002
【図２】
0003734348.tif 000003
【図３】
0003734348.tif 000004
【図４】
0003734348.tif 000005
【図５】
0003734348.tif 000006
【図６】
0003734348.tif 000007
【図７】
0003734348.tif 000008
【図８】
0003734348.tif 000009
【図９】
0003734348.tif 000010
【図１０】
0003734348.tif 000011
【図１１】
0003734348.tif 000012
【図１２】
0003734348.tif 000013
【図１３】
0003734348.tif 000014